(57)【要約】  【課題】路面状態を好適に判定可能にする。  【解決手段】路面状態判定装置３３が、駆動輪３の空転の程度を表すスリップ値Ｓを測定するスリップ値測定手段４１と、スリップ値測定手段４１により測定されたスリップ値Ｓの変化率ΔＳを演算する変化率演算手段４２と、変化率演算手段４２により演算されたスリップ値の変化率ΔＳに応じて路面状態ｒを判定する判定手段４３と、を備える。【選択図】図５
2011136647.tif 000002
【特許請求の範囲】
【請求項１】
駆動輪の空転の程度を表すスリップ値を測定するスリップ値測定手段と、
前記スリップ値測定手段により測定されたスリップ値の変化率を演算する変化率演算手段と、
前記変化率演算手段により演算された前記スリップ値の変化率に応じて路面状態を判定する判定手段と、を備えることを特徴とする路面状態判定装置。
【請求項２】
前記変化率演算手段は、予め定める時点ごとに順次求められる複数の前記スリップ値の変化率の累積値を演算し、
前記判定手段は、前記スリップ値の変化率の前記累積値に基づいて、前記路面状態を判定することを特徴とする請求項１に記載の路面状態判定装置。
【請求項３】
前記変化率演算手段は、予め定める時点ごとに順次前記スリップ値の変化率の瞬時値を求め、求めた複数の前記瞬時値を用いて前記スリップ値の変化率の累積値を演算し、
前記判定手段は、前記スリップ値の変化率の前記瞬時値と前記累積値とに応じて、前記路面状態を判定することを特徴とする請求項１に記載の路面状態判定装置。
【請求項４】
前記判定手段は、前記スリップ値の変化率が予め規定される複数の数値範囲のうち何れの範囲内にあるのかに応じて、前記路面状態を判定することを特徴とする請求項１乃至３のいずれか１項に記載の路面状態判定装置。
【請求項５】
駆動輪の空転の程度を表すスリップ値を測定するスリップ値測定工程と、
前記スリップ値測定工程において測定されたスリップ値の変化率を演算する変化率演算工程と、
前記変化率演算工程において演算された前記スリップ値の変化率に応じて路面状態を判定する判定工程と、
前記判定工程において判定された路面状態に応じて車両を制御する車両制御工程と、
を有することを特徴とする車両の制御方法。
【発明の詳細な説明】
【技術分野】
【０００１】
本発明は、車両が走行している路面の状態を判定するための路面状態判定装置、及び車両の制御方法に関する。
【背景技術】
【０００２】
駆動源より駆動輪に伝達される動力が車両のグリップ性能を上回ると、駆動輪の空転が生じる。空転の程度が大きくなると安定した走行が困難となるため、従来、駆動輪の空転の程度を表すスリップ値が所定値を超えると駆動輪に伝達される動力を低下させる制御を実行し、これにより駆動輪の空転を抑制することが提案されている（例えば、特許文献１参照）。
【先行技術文献】
【特許文献】
【０００３】
【特許文献１】特開２００８−１１１４３０号公報
【発明の概要】
【発明が解決しようとする課題】
【０００４】
ところで、車両は駆動輪に少々空転が生じても走行可能であるが、駆動輪と路面との摩擦係数が低くなるような路面状態での走行中には、空転の程度が大きくなりやすい。このように、走行中の路面状態は空転の発生に影響を与える。
【０００５】
運転者は、高い摩擦係数を確保可能な路面状態を走行しているときには、少々の空転を許容する運転操作の可能性があるのに対し、摩擦係数が低い路面状態においては、空転が生じないように、また空転の程度が大きくなりそうであればそれを抑えるように慎重な運転操作を心がける可能性がある。よって、従来提案されている空転の程度を表すスリップ値を単純に参照しても、走行中の路面状態を精度良く判定することが難しい。
【０００６】
そこで本発明は、路面状態を好適に判定可能とすることを目的としている。
【課題を解決するための手段】
【０００７】
本発明は上記事情に鑑みてなされたものであり、本発明に係る路面状態判定装置は、駆動輪の空転の程度を表すスリップ値を測定するスリップ値測定手段と、前記スリップ値測定手段により測定されたスリップ値の変化率を演算する変化率演算手段と、前記変化率演算手段により演算された前記スリップ値の変化率に応じて路面状態を判定する判定手段と、を備えることを特徴としている。
【０００８】
路面の摩擦係数が低くなるほど、空転が開始してからのスリップ値の上昇が速く、スリップ値の変化率が大きくなる。よって、前記構成によれば、このような特性を持つスリップ値の変化率を参照することで、路面状態を好適に判定することができるようになる。
【０００９】
前記変化率演算手段は、予め定める時点ごとに順次求められる複数の前記スリップ値の変化率の瞬時値を用いて前記スリップ値の変化率の累積値を演算し、前記判定手段は、前記スリップ値の変化率の累積値に応じて前記路面状態を判定してもよい。
【００１０】
これにより、駆動輪に伝達される動力の急変や、マンホール蓋など路面上の局所的に摩擦係数が異なる箇所を走行したことなどによってスリップ値の変化率が路面状態と関係なく急変するようなことがあっても、このようなノイズの影響を小さくすることができる。
【００１１】
また、前記変化率演算手段は、予め定める時点ごとに順次求められる複数の前記スリップ値の変化率の瞬時値を用いて前記スリップ値の変化率の累積値を演算し、前記路面状態判定手段は、前記スリップ値の変化率の瞬時値と累積値とに応じて前記路面状態を判定してもよい。
【００１２】
これにより、前述同様にして、路面状態の判定に際してスリップ値の変化率のノイズ値の影響を小さくすることができる。
【００１３】
前記判定手段は、前記スリップ値の変化率が予め規定される複数の数値範囲のうちいずれの範囲内にあるのかに応じて、前記路面状態を判定してもよい。
【００１４】
これにより、複数の路面状態のうちいずれの路面状態であるのかを好適に判定することができるようになる。
【００１５】
本発明に係る車両の制御方法は、駆動輪の空転の程度を表すスリップ値を検出するスリップ値測定工程と、前記スリップ値測定工程において検出されたスリップ値の変化率を演算する変化率演算工程と、前記変化率演算工程において演算された前記スリップ値の変化率に応じて路面状態を判断する路面状態判断工程と、前記路面状態判断工程において判断された路面状態に応じて車両を制御する制御工程と、を有することを特徴とする。
【００１６】
前記方法によれば、前述同様にして路面状態を好適に判定することができ、判断した路面状態に応じて車両を好適に制御することができる。
【発明の効果】
【００１７】
本発明によれば、路面状態を好適に判定することができる。
【図面の簡単な説明】
【００１８】
【図１】本発明の第１実施形態に係る車両の一例として示す自動二輪車の左側面図である。
【図２】図１に示す自動二輪車の駆動系の構成を示す模式図である。
【図３】自動二輪車の走行試験より得られた、路面状態、スリップ値、及びスリップ値変化率の関係を示す図である。
【図４】自動二輪車の走行試験より得られた、スロットル開度に対するスリップ値の変化率を示すグラフである。
【図５】本発明の第１実施形態に係る制御システムの構成を示すブロック線図である。
【図６】スリップ値変化率、及び判断部により判断される路面状態の変動の一例を示すタイミングチャートである。
【図７】本発明の第２実施形態に係る制御システムの構成を示すブロック線図である。
【図８】本発明の第３実施形態に係るスリップ値測定部の構成を示すブロック線図である。
【発明を実施するための形態】
【００１９】
以下、図面を参照しながら本発明の実施形態について説明する。ここでは、本発明に係る路面状態判定装置を搭載した車両の一例として自動二輪車を例示し、方向の概念は自動二輪車の運転者が見る方向を基準としている。
【００２０】
［第１実施形態］
［自動二輪車］
図１は、本発明の第１実施形態に係る車両の一例として示す自動二輪車１の左側面図である。図１に示す自動二輪車１は、前方に従動輪である前輪２を有し、後方に駆動輪である後輪３を有している。前輪２及び後輪３は、ゴム製のタイヤ２ａ，３ａを装着しており、これらタイヤ２ａ，３ａが路面上を転動する。
【００２１】
前輪２は略上下方向に延びるフロントフォーク４の下端部に回転可能に支持され、フロントフォーク４の上端部は、ヘッドパイプ５に回転可能に支持されたステアリングシャフト（図示せず）に接続され、ステアリングシャフトの上端部は、左右一対のグリップを有したハンドル６と連結されている。
【００２２】
ヘッドパイプ５からは左右一対のメインフレーム７が後下方へ延び、メインフレーム７の後部には左右一対のピボットフレーム８が接続され、ピボットフレーム８には略前後方向に延びるスイングアーム９の前端部が枢支され、スイングアーム９の後端部には後輪３が回転可能に支持されている。
【００２３】
メインフレーム７及びピボットフレーム８には、自動二輪車１の駆動源として、ガソリンを燃料とするレシプロ型の４ストローク並列４気筒のエンジン１０が設けられている。エンジン１０の上方且つハンドル６の後方には、エンジン１０に供給される燃料を溜めるための燃料タンク１３が設けられている。外部の新気は、エアクリーナ１１及びスロットル装置１１を介してエンジン１０に取り入れられ、エンジン１０内で燃料と混合される。
【００２４】
燃料タンク１３の後方には、運転者及び同乗者を騎乗させるシート１４が設けられている。なお、シート１４の下方空間には、後述する電子制御装置３１（ＥＣＵ）が設けられている。運転者は、シート１４の前部に着座してハンドル６のグリップを把持し、自動二輪車１を操縦することができる。グリップを把持した運転者がハンドル６を回動操作すると、前輪２がステアリングシャフトを回転軸として転向する。
【００２５】
図２は、図１に示す自動二輪車１の駆動系の構成を示す模式図である。スロットル装置１２は、内部に吸気通路を形成する吸気管１６、吸気通路を開度可変に開閉するメインスロットル弁１７及びサブスロットル弁１８、及びサブスロットル弁１８を駆動する弁アクチュエータ１９を備える。
【００２６】
メインスロットル弁１７の開度は、スロットルグリップ１５の回転に応じて機械的に変更される。スロットルグリップ１５はハンドル６（図１参照）の右側のグリップであり、運転者により操作される。弁アクチュエータ１９の動作は車両制御部３２（図５参照）により制御され、弁アクチュエータ１９の動作に応じてサブスロットル弁１８の開度が変更される。スロットル弁１７，１８の開度が変更されると、エンジン１０の吸気量が増減し、これによりエンジン１０の出力を増減させることができる。よって、スロットルグリップ１５は、運転者がエンジン１０の出力増減に対する要求、又は自動二輪車１の加減速に対する要求を入力するための操作部材として機能する。以降、メインスロットル弁１７の開度を単に「スロットル開度θ」として説明する。なお、本実施形態では、スロットル装置１２が機械駆動式と電気駆動式の２つの弁を備えた場合を例示しているが、これら２つの弁のうち１つのみを備えていてもよい。
【００２７】
エンジン１０は、適宜量の燃料を適宜タイミングで供給するための燃料供給装置２０と、混合気を適宜タイミングで点火するための点火装置２１とを備えている。混合気の燃焼によりエンジン１０が発生する出力はクランク軸２２の回転となり、クランク軸２２の回転は動力伝達経路２３を介して後輪３に伝達される。本実施形態の動力伝達経路２３は、減速機構２４、クラッチ機構２５、変速機入力軸２６ａ、変速機２６、変速機出力軸２６ｂ、及びチェーン伝動機構２７から成る。
【００２８】
後輪３が回転駆動されると、後輪３のタイヤ３ａと路面との間に摩擦力が生じ、後輪３が路面上を転動する。後輪３と共に接地している前輪２も同様にして路面上を転動し、これにより自動二輪車１が路面上を推進する。前輪２及び後輪３にはそれぞれブレーキ装置２８，２９が設けられており、各ブレーキ装置２８，２９の動作によって前輪２及び後輪３の回転をそれぞれ制動することができる。
【００２９】
［路面状態とスリップとの関係］
エンジン１０から後輪３に伝達される動力が後輪３のタイヤ３ａと路面との間に生ずる摩擦力を上回ると、後輪３が空転する。よって、後輪３のタイヤ３ａと路面との摩擦係数、タイヤ３ａに与えられる垂直抗力が小さく、大きな摩擦力を確保しにくいときほど、後輪３が空転しやすく、その空転の程度も大きくなりやすい。
【００３０】
後輪３が空転すると、駆動輪である後輪３の回転速度が従動輪である前輪２の回転速度に比して大きくなる。よって、後輪３の回転速度と前輪２の回転速度との差に相当する値を、後輪３の空転の程度を表すスリップ値Ｓとすることができる。このスリップ値Ｓは、後輪３の回転速度ＶＲから前輪２の回転速度ＶＦを減算することにより求められてもよく（ＶＲ−ＶＦ）、当該減算値を更に前輪２の回転速度で除算することにより求められてもよい（（ＶＲ−ＶＦ）／ＶＦ）。また、後輪３の回転速度ＶＲと車速Ｖとの差をとることにより求められてもよい（ＶＲ−Ｖ）。
【００３１】
エンジン１０の出力が、これを吸収可能な摩擦力を上回ると空転が生じることから、エンジン１０の出力がこの摩擦力の限界値をどの程度上回るかによって、空転の程度を表すことも可能である。ここで、エンジン１０の発生トルクは、クランク軸２２の角加速度と慣性モーメントとの積であり、クランク軸２２の角加速度は、後輪３から路面に動力を伝えるべく回転する回転部材、すなわち動力伝達経路２３を構成する回転部材の角加速度及び後輪３自体の角加速度と比例する。よって、スリップ値Ｓとして、クランク軸２２の角加速度（すなわち、エンジン回転数の変化率）、又は上記回転部材の角加速度を採用することもできる。
【００３２】
図３は、自動二輪車の走行試験から得られた、路面状態と、スリップ値Ｓの平均値と、単位時間当たりのスリップ値の変化量ΔＳ（以下、スリップ値変化率という）の平均値との関係を示している。図３の左欄において、路面状態に付した数字が若いほど路面とタイヤとの摩擦係数が高い。スリップ値Ｓ及びスリップ変化率ΔＳは「路面状態１」での当該値を１とする比で表している。
【００３３】
図３に示すように、走行試験の結果から、摩擦係数の変化とスリップ値Ｓの変化との間に相関性を認めることはできなかった。これに対して、摩擦係数が小さいほどスリップ値変化率ΔＳは大きくなることがわかり、摩擦係数とスリップ値変化率ΔＳとの間には強い相関性を認めることができた。また、スリップ値変化率ΔＳは空転の程度が変化する速度を表す値であることから、摩擦係数が小さいほど、空転開始後における空転の程度の上昇速度も高くなることがわかった。
【００３４】
図４は、自動二輪車の走行試験から得られた、スロットル開度θに対するスリップ値変化率ΔＳの最大値を示すグラフである。図４に示すように、互いに摩擦係数が異なる複数の路面状態のうち何れの路面状態においても、スリップ値変化率ΔＳの最大値は、スロットル開度θの大小に関わらず大きく変化しないことがわかった。
【００３５】
なお、図示を省略するが、スリップ値Ｓとして、例えばクランク軸２２の角加速度を採用したときにおいても、図３及び図４と同様の結果を示すことがわかった。
【００３６】
［路面状態の判定］
図５は、本発明の第１実施形態に係る制御システム３０の構成を示すブロック図である。図５に示すように、自動二輪車１の制御システム３０は、電子制御装置（ＥＣＵ）３１を有している。ＥＣＵ３１は、車両制御部３２と、路面状態判定部３３（路面状態判定装置）とを有している。路面状態判定部３３は、センサ３４，３５によって検出される運転状態に応じて、路面状態を判定する。路面状態判定部３３により実行される路面状態の判定は、前述した路面状態とスリップ値変化率との相関性に着眼したものとなっている。
【００３７】
路面状態判定部３３は、スリップ値測定部４１と、スリップ値変化率演算部４２と、判定部４３と、記憶部４４とを有している。ここで、各センサ３４，３５は所定周期毎にＥＣＵ３１に検出値を出力し、路面状態判定部３３を構成する部分も当該所定周期毎に演算値を出力する。以下の説明における添え字(n)は、特段説明しない限り、ある時点にて検出又は演算された瞬時値であることを表し、(n−1)は(n)に対応する時点から１周期だけ過去に遡った時点にて検出又は演算された過去の瞬時値であることを表す。
【００３８】
スリップ値測定部４１は、前輪回転速度センサ３４により検出される前輪２の回転速度ＶＦ(n)と、後輪回転速度センサ３５により検出される後輪３の回転速度ＶＲ(n)とに基づいて、スリップ値Ｓ(n)を測定する。本実施形態では、スリップ値Ｓ(n)は次式(1)より求められる。スリップ値測定部４１により測定されたスリップ値Ｓ(n)は、記憶部４４に一時的に記憶され、且つスリップ値変化率演算部４２に入力される。
【００３９】
Ｓ(n)＝（ＶＲ(n)−ＶＦ(n)）／ＶＦ(n)  ……(1)
スリップ値変化率演算部４２は、スリップ値測定部４１から入力したスリップ値Ｓ(n)と、記憶部４４に記憶されている１周期過去のスリップ値Ｓ(n−1)とに基づいて、単位時間（本例では前記所定周期）当たりのスリップ値変化量ΔＳ(n)（すなわち、スリップ値変化率）を演算する。スリップ値変化率ΔＳ(n)は、次式(2)より求められる。
【００４０】
ΔＳ(n)＝Ｓ(n)−Ｓ(n−1)  ……(2)
判定部４３は、スリップ値変化率演算部４２から入力したスリップ値変化率ΔＳ(n)に応じて路面状態ｒ(n)を判断する。この判断のため、記憶部４４には、判定部４３においてスリップ値変化率ΔＳ(n)と比較される複数の閾値ΔＳTH（ΔＳTH_1，ΔＳTH_2，…）が記憶されている。
【００４１】
図４に戻り、記憶部４４に記憶される閾値ΔＳTH_1，ΔＳTH_2，ΔＳTH_3，ΔＳTH_4は、路面状態１〜４のスリップ値変化率ΔＳの最大値付近の値にそれぞれ設定されている。例えば第１の閾値ΔＳTH_1は、「路面状態１」におけるスリップ値変化率ΔＳの最大値付近の値に設定されている。
【００４２】
前述したように、スリップ値変化率ΔＳの最大値は路面状態に応じて異なるため、各閾値ΔＳTHも互いに異なる値に設定される。このため、記憶部４４に記憶される複数の閾値ΔＳTHにより、記憶されている閾値の個数より１だけ多い数の数値範囲Ｒ１〜Ｒ５を規定することができる。例えば、第１の数値範囲Ｒ１は、「路面状態１」に対応してする第１の閾値ΔＳTH_1未満の数値範囲であって下限値がなく、「路面状態１」の走行中には、スリップ値変化率ΔＳがこの第１の数値範囲Ｒ１内に収まる傾向にある。第２路面状態Ｒ２は、第１の閾値ΔＳTH_1以上であって「路面状態２」に対応する第２の閾値ΔＳTH_2未満の数値範囲であり、「路面状態２」の走行中にはスリップ値変化率ΔＳが第１の数値範囲Ｒ１内に収まる傾向にある。第３及び第４の数値範囲Ｒ３，Ｒ４も、第２の数値範囲Ｒ２と同様にして、第２の閾値ΔＳTH_2、「路面状態３」に対応する第３の閾値ΔＳTH_3、及び「路面状態４」に対応する第４の閾値ΔＳTH_4により規定される。第５の数値範囲Ｒ５は、第４の閾値ΔＳTH_4以上の数値範囲であり上限値がない。
【００４３】
図５に戻り、判定部４３は、スリップ値変化率演算部４２から入力したスリップ値変化率ΔＳ(n)と、記憶部４４から入力した複数の閾値ΔＳTH（ΔＳTH_1，ΔＳTH_2，…）とを比較する。そして、スリップ値変化率ΔＳ(n)が、これら閾値ΔＳTH（ΔＳTH_1，ΔＳTH_2，…）により規定される複数の数値範囲Ｒ１〜Ｒ５のうち何れの範囲内に収まるのかに応じて、路面状態ｒ(n)を判断する。例えばスリップ値変化率ΔＳ(n)が第１の数値範囲Ｒ１内に収まっていれば、路面状態ｒ(n)が「路面状態１」であると判断される。判定部４３により求められた路面状態ｒ(n)は記憶部４４に記憶される。本実施形態では、４つの路面状態に分類したが、これに限定せず、２つ以上の領域に分けてもよく、単純に２つの領域にわけてもよい。また、スリップ値の変化率自体が、路面状態を表すので、スリップ値の変化率自体を出力したり、制御パラメータとして車体制御に利用したりしてもよい。
【００４４】
ここで、ｒ(n)を路面状態の最新値とする。判定部４３は、路面状態の最新値ｒ(n)と、記憶部４４に記憶されている複数の路面状態の過去の瞬時値ｒ(n−1)，ｒ(n−2)，…ｒ(n−M)（Ｍ：自然数）とに基づいて路面状態の出力値ｒ′(n)を決定し、決定した出力値ｒ′(n)を車両制御部３２に出力する。車両制御部３２は、この出力値ｒ′(n)により表される路面状態に応じて、自動二輪車１を制御する。
【００４５】
図５は、出力値ｒ′の決定に際し、Ｍ個の過去値ｒ(n−1)，ｒ(n−2)，…ｒ(n−M)が参照される場合を例示している。この場合、出力値ｒ′(n)は、路面状態の最新値ｒ(n)を得た時点から、参照する過去値の個数Ｍに上記所定周期を掛け算して得た所定期間Ｔ（図６参照）だけ過去に遡って路面状態のデータを考慮することとなる。本実施形態では、当該期間Ｔ内のスリップ値変化率の最大値に応じて判断された路面状態が、出力値ｒ′(nとして決定される。
【００４６】
図６は、スリップ値変化率ΔＳ、及び判定部４３により決定される路面状態の出力値ｒ′の変動の一例を示すタイミングチャートである。図６に示すように、当初、スリップ値変化率ΔＳは第１の数値範囲Ｒ１内にあるため、出力値ｒ′が「路面状態１」に決定される。その後、スリップ値変化率ΔＳが第１の閾値ΔＳTH_1を上回って第２の数値範囲Ｒ２内に収まるように変化すると、第１の閾値ΔＳTH_1を上回った時点ｔ１でのスリップ値変化率ΔＳは当該時点ｔ１から過去に遡っても最大値となっているため、当該時点ｔ１で出力値ｒ′が「路面状態２」に変更される。その後、スリップ値変化率ΔＳが第２及び第３の閾値ΔＳTH_2，ΔＳTH_3をそれぞれ上回ったときにも、これに応じて出力値ｒ′が変更される（時点ｔ２，ｔ３参照）。
【００４７】
第４の数値範囲Ｒ４内にあるスリップ値変化率ΔＳが、第３の閾値ΔＳTH_3を下回って第３の数値範囲Ｒ３内に収まるように変化したときを想定する。このとき、スリップ値変化率ΔＳが減少傾向にあるため、第３の閾値ΔＳTH_3を下回った時点ｔ４でのスリップ値変化率ΔＳは、当該時点ｔ４から過去に遡ると最大値とはならない。このため、スリップ値変化率ΔＳの減少によってそのスリップ値変化率ΔＳが属する数値範囲が変更したときには、路面状態の出力値ｒ′は変更されない。
【００４８】
その後、スリップ値変化率ΔＳが第４の数値範囲Ｒ４内に再び収まることがなければ、第３の閾値ＳTH_3を下回った時点ｔ４から上記所定期間Ｔが経過した時点ｔ６にて、路面状態の出力値ｒ′が「路面状態３」に変更される。時点ｔ６から所定期間Ｔだけ過去に遡っての最大値が第３の閾値ＳTH_3となるからである。スリップ値変化率ΔＳが第２の閾値ΔＳTH_2を下回る時点ｔ５と、路面状態の出力値ｒ′が「路面状態３」から「路面状態２」に変更される時点ｔ７との関係も、これと同様となる。スリップ値変化率ΔＳが第１の閾値ΔＳTH_1を下回る時点と、路面状態の出力値ｒ′が「路面状態２」から「路面状態１」に変更された時点との関係も、これと同様となる。
【００４９】
ここで、スリップ値変化率ΔＳが第２の閾値ＳTH_2を下回ってから所定期間Ｔが経過する前に車両が停止し、その後走行が再開されたときを想定する。なお、時点ｔ８は、スリップ値変化率ΔＳが第２の閾値ＳTH_2を下回った時点、時点ｔ９は車両が停止した時点であり、期間Ｔ１はこれら時点ｔ８から時点ｔ９になるまでに経過した期間である。時点ｔ１０は車両の走行が再開した時点であり、期間Ｔ２は時点ｔ９から時点ｔ１０になるまでに経過した車両の停止期間である。時点ｔ１１は走行再開時点ｔ１０以降に経過した所要の期間Ｔ３である。
【００５０】
この場合、期間Ｔ２におけるスリップ値変化率は路面状態の出力値の決定に際して考慮されない。すなわち、期間Ｔ１と走行開始時点ｔ１０以降の期間Ｔ３との和が所定期間Ｔに達した時点ｔ１１になるまでは、時点ｔ８以前のスリップ値変化率ΔＳが出力値ｒ′の決定に考慮され、時点ｔ１１において第１の閾値ΔＳTH_1を下回ったことが出力値ｒ′に反映されることとなる。
【００５１】
このように本実施形態に係る路面状態判定部３３は、スリップ値変化率ΔＳを参照して路面状態を判断するよう構成されている。スリップ値変化率ΔＳは、路面と後輪３のタイヤ３ａとの摩擦係数が小さくなるときほど、空転が開始してからのスリップ値Ｓの上昇が速くスリップ値変化率ΔＳが大きくなることから、当該構成により路面状態を好適に判断することができる。
【００５２】
また、上昇傾向にあるスリップ値変化率ΔＳが閾値ΔＳTHを跨ぐように変化したとき、すなわち路面と後輪３のタイヤ３ａとの摩擦係数が小さくなるような変化があったと想定されるときには、当該変化に応じて路面状態の出力値ｒ′が変化する。このように空転が発生しやすくなる路面状態の変化があったと思われるときにはこれに即座に対応させることができる。
【００５３】
逆に、減少傾向にあるスリップ値変化率ΔＳが閾値ΔＳTHを跨ぐように変化したとき、すなわち路面と後輪３のタイヤ３ａとの摩擦係数が大きくなるような変化があったと想定されるときには、路面状態の出力値ｒ′の変更が所定期間経過するまで待機する。これにより、単純に運転者がスリップを抑えるべくスロットルグリップ１５を操作して路面状態が変化していないにも関わらず、エンジンが発生する出力が急低下したような場合において、路面状態が変化したと誤判定するのを抑えることができる。
【００５４】
また、車速がゼロであるときのスリップ値変化率が路面状態の判断に参照されないようにしているため、空転が発生し得ないような運転状態において得られた検出値及び演算値に基づいて路面状態が誤判定されるという不具合を避けることができる。
【００５５】
車両制御部３２は、運転状態に応じて、且つ路面状態判定部３３から入力した路面状態の出力値ｒ′に応じて自動二輪車１を制御する。例えば車両制御部３２は、スロットルグリップ１５の操作量φ、スロットル開度θ、エンジン回転数ω、後輪の回転速度ＶＲ（すなわち車速）に応じて、スロットル装置１２（図２参照）の弁アクチュエータ１９、燃料供給装置２０、点火装置２１、前後のブレーキ装置２８，２９を制御する。車両制御部３２は、これら装置の制御を通じて、路面状態に応じてトラクション制御、出力規制制御、発進制御、加減速制御、ステアリングダンパ制御、車重判断によるサスペンションアブソーバ制御、ＡＢＳ制御、ＣＢＳ制御を実行することができる。
【００５６】
例えば車両制御部３２は、路面と後輪３のタイヤ３ａとの摩擦係数が低いことを示す出力値ｒ′を入力したときに、エンジン１０が発生する出力を抑制するよう弁アクチュエータ１９、燃料供給装置２０、及び／又は点火装置２１を制御してもよい。これにより、路面状態に応じて後輪３の空転を未然に防ぐことが可能となる。また、弁アクチュエータ１９、燃料供給装置２０及び点火装置２１の制御に加えて又は当該制御に替えて、前後のブレーキ装置２８，２９を動作させ、後輪３から路面に伝えられる動力を低減させるようにしてもよい。このときにも、路面状態に応じて後輪３の空転を未然に抑制することができるようになる。このように、本実施形態に係る車両制御部３２は、路面状態に応じて自動二輪車１を好適に制御することができるようになる。
【００５７】
なお、路面状態判定部３３は、路面状態の出力値ｒ′を、車両制御部３２以外の機器又は制御部に出力するよう構成されていてもよい。例えば、計器パネルに設けられた表示装置に路面状態の出力値ｒ′を出力し、当該表示装置において路面状態の出力値ｒ′を示す表示を行わせ、運転者がこの表示を視認可能にしてもよい。これによって運転者は、路面状態を判断することができ、利便性を向上することができる。また路面状態判定結果を、走行状態・エンジン状態に関連させて記憶することで、車両設計や操作技術の向上に利用することができる。また路面状態判定結果を車両外に無線通信することで、車両外で路面状態を把握することができ、他の運転者の運転に役立たせることができる。
【００５８】
なお、同じ路面状態であっても、スリップ値変化率ΔSは、後輪への動力伝達が開始される発進時に大きい値をとる傾向にある。よって、判定処理を発進時に行うようにすると、路面状態をより精度よく判定することができる。
【００５９】
また、この路面状態判定部３３は、路面状態の判定を行うとしたが、タイヤ３ａに作用する荷重が大きくなれば摩擦力が大きくなって空転が生じにくくなり、また、タイヤ３ａの摩擦係数が大きければ大きい摩擦力を確保可能となって空転が生じにくくなる。よって、路面状態判定部３３と同様の構成において、タイヤ３ａの変化、又は自動二輪車１に騎乗している人数の変化を検知することも可能となる。このように本発明における路面判定とは、路面と駆動輪との間に発生する摩擦力Fを判定することであって、路面状態と駆動輪との間の摩擦係数μと、駆動輪に係る垂直効力Nとを掛け合わせた値F（＝μ×N）を判定できる。
【００６０】
［第２実施形態］
図７は、本発明の第２実施形態に係る制御システム１３０の構成を示すブロック線図である。この制御システム１３０の路面状態判定部１３３においては、スリップ値変化率演算部１４２、判定部１４３及び記憶部１４４が変更されている。また、開度変化率演算部１４５及び閾値補正部１４６が追加されている。上記実施形態と同様の構成については同一の符号を付して詳細な説明を省略する。
【００６１】
本実施形態のスリップ値変化率演算部１４２は、前述した式(2)よりスリップ値変化率の瞬時値ΔＳ(n)を演算し、更に一次遅れ演算によりスリップ値変化率ΔＳ(n)の累積値ΔＳ′(n)を演算する。この累積値ΔＳ′(n)は、例えば次式(3)より求められる。累積値ΔＳ′(n)は、記憶部１４４に一時的に記憶され、且つ判定部１４３に入力される。
【００６２】
ΔＳ′(n)＝ΔＳ′(n−1)＋｛ΔＳ(n)−ΔＳ′(n−1)｝×Ｋ  ……(3)
ここで、ΔＳ′(n−1)は、ΔＳ′(n)が演算された時点より１周期過去にスリップ値変化率演算部１４２により演算された累積値であり、記憶部１４４に記憶されている値である。例えばＫは、一次遅れ演算係数であり、１未満の正の値に適宜設定される（０＜Ｋ＜１）。
【００６３】
判定部１４３は、スリップ値変化率演算部１４２から入力したスリップ値変化率の累積値ΔＳ′(n)に応じて路面状態ｒ(n)を判断する。本実施形態においては、記憶部１４４に記憶される閾値ΔＳTH（ΔＳTH_1，ΔＳTH_2，…）が閾値補正部１４６により補正され、補正値ΔＳTH′（ΔＳTH_1′，ΔＳTH_2′，…）と累積値ΔＳ′(n)との比較結果に応じて路面状態ｒ(n)が判断される。
【００６４】
閾値補正部１４６は運転状態に応じて閾値ΔＳTHを補正する。図６では、スリップ値変化率演算部１４２により演算されたスリップ値変化率ΔＳ(n)、及びスロットル開度の変化率Δθ(n)に応じて補正する場合を例示する。
【００６５】
開度変化率Δθ(n)も、スリップ値変化率ΔＳと同様に演算される。つまり、開度変化率演算部１４５は、スロットル位置センサ１３６により検出されるスロットル開度θ(n)と、当該スロットル開度θ(n)の１周期前に得た過去値θ(n−1)とに基づいて、次式(4)に基づいて開度変化率Δθ(n)を求める。
【００６６】
Δθ(n)＝θ(n)−θ(n−1)  ……(4)
閾値補正部１４６は、スリップ値変化率（の瞬時値）ΔＳ(n)が大きいときほど閾値ΔＳTHを小さい値に補正し、開度変化率Δθ(n)が正であってその値が大きいときほど閾値ΔＳTHを大きい値に補正する。つまり、閾値補正部１４６は、次式(5)に基づいて補正値ΔＳTH′(n)（ΔＳTH_1′(n)，ΔＳTH_2′(n)，…）を演算する。
【００６７】
ΔＳTH′(n)＝ΔＳTH＋ｆ1｛ΔＳ(n)｝＋ｆ2｛Δθ(n)｝  ……(5)
判定部１４３は、スリップ値変化率演算部１４２により演算されたスリップ値変化率の累積値ΔＳ′(n)と、補正値ΔＳTH′(n)（ΔＳTH_1′(n)，ΔＳTH_2′(n)，…）とを比較する。そして、累積値ΔＳ′(n)が、これら補正値ΔＳTH′(n)により規定される数値範囲のうち何れの範囲内に収まるのかに基づいて、路面状態ｒ(n)を判断する。
【００６８】
本実施形態では、スリップ値変化率の累積値ΔＳ′(n)を参照して路面状態が判断される。このため、後輪３に伝達される動力の急変や、マンホール蓋など路面上の局所的に摩擦係数が異なる箇所を走行したことなどによってスリップ値変化率ΔＳが実際の路面状態とは関係なく急変するようなことがあっても、このようなスリップ値変化率のノイズ値の影響を小さくし、路面状態を誤判定するのを抑えることができるようになる。
【００６９】
また、本実施形態では、閾値補正部１４６により閾値を走行状態及びエンジンの運転状態に応じて補正している。このため運転状態の変化に起因するスリップ値変化率の変動があっても、この変動に反応して路面状態が誤判定されるのを抑えることができるようになる。
【００７０】
特に、本実施形態においては、スロットル開度の変化率が正であってその値が大きいときほど、閾値が高くなるように補正される。スロットル開度の変化率が正であるとは、運転者の加速要求が大きく、エンジン１０の出力が増大傾向にあることを示唆する。このような状況で後輪に伝達される動力が急上昇してスリップ値変化率が大きくなっても、閾値がこれに応じて高くなるため、路面状態が誤判定されるのを抑えることができる。
【００７１】
なお、開度変化率Δθの他にも、運転者の加速に対する要求が大きいこと、及びエンジン１０の出力が増大傾向にあることを検知することが可能である。例えば、開度変化率Δθに替えて、開度要求値（本実施形態では、スロットルグリップの操作位置又はスロットル開度θ）、エンジン回転数の変化率、減速比、走行加速度などが閾値補正部１４６に入力されてもよい。この場合においても、スリップ値変化率ΔＳのノイズ値の影響を小さくすることができる。
【００７２】
また車両走行状態における、スリップ値とスロットル開度（開度要求値）との関係を求めることで車両のグリップ特性を判断することができる。たとえばスリップ値とスロットル開度から求められる車両のグリップ特性に応じて、スリップ値変化率に基づいて求めた路面状態を補正してもよい。たとえばグリップ特性が低い場合には、スリップ値変化率から求められる路面状態に比べて、実際の路面の摩擦係数が高くなるように判断してもよい。このように車両のグリップ特性と併せて路面状態を判断することで、さらに精度よく路面状態を判断することができる。
【００７３】
また、スリップ値変化率の瞬時値ΔＳ(n)が急上昇したときには、閾値がこれに合わせて高くなるよう補正され、不意のスリップ値変化率の変化に対して路面状態が変化したと誤判定されるおそれを小さくすることができる。
【００７４】
本実施形態では、累積値に応じて路面状態を判断するための構成と、路面状態の判断に用いる閾値を運転状態に応じて補正するための構成との両方を備える場合を例示しているが、いずれか１つのみを備えていてもよい。図７に示す構成から、開度変化率演算部１４５及び閾値補正部１４６は適宜省略可能である。また、式(4)は、複数の過去の瞬時値を用いて累積値を演算されるように変更してもよく、式(5)における補正項は、適宜省略、変更及び追加可能である。
【００７５】
ここでΔＳ(n)を最新値とした場合、第１実施形態ではこの最新値に基づいて路面状態ｒ(n)が判断され、上記実施形態では累積値に基づいて路面状態ｒ(n)が判断されているが、図７に点線矢印で示すように、判定部１４３は最新値ΔＳ(n)と累積値ΔＳ′(n)との両方に基づいて路面状態ｒ(n)を判断してもよい。
【００７６】
また累積値として一次遅れ演算以外を用いてもよい。たとえば累積値として、過去複数周期でのスリップ値変化率の平均値や積分値を用いてもよい。瞬時値と累積値との両方を用いる場合、瞬時値と累積値とで、重みづけを異ならせてもよい。たとえば運転者の好み、または走行状態、エンジン運転状態または運転者の好みに応じて、重みづけを異ならせる。ノイズの影響が少ないほうが好ましい場合には、瞬時値よりも累積値の重み付けを大きくし、瞬間応答性を向上するほうが好ましい場合には、累積値よりも瞬時値の重み付けを大きくする。一例として、４対６で、累積値の重みを大きくする設定としてもよい。
【００７７】
［第３実施形態］
図８は、本発明の第３実施形態に係るスリップ値測定部２４１の構成を示すブロック線図である。本実施形態のスリップ値測定部２４１は、エンジン回転数センサ２３７により検出されるクランク軸２２の回転速度と、記憶部２４４に記憶されている１周期前に検出されたクランク軸２２の回転速度とに基づいて、次式(6)よりクランク軸２２の角加速度Δω(n)をスリップ値Ｓ(n)として演算する。
【００７８】
Ｓ(n)＝Δω(n)＝ω(n)−ω(n−1)  ……(6)
前述したように、クランク軸２２の角加速度も空転の程度を表すスリップ値として扱うことができるため、このようにして求めたスリップ値の変化率ΔＳに応じて、路面状態を好適に判定することができる。
【００７９】
以上、本発明の実施形態について説明したが、上記構成を本発明の範囲内において適宜変更可能である。本発明に係る路面状態判定装置は、自動二輪車に限らずその他の車両にも好適に適用することができる。
【産業上の利用可能性】
【００８０】
本発明は、路面状態を好適に判断することができ、車両に広く適用することができる。
【符号の説明】
【００８１】
１  自動二輪車（車両）
２  前輪（従動輪）
３  後輪（駆動輪）
１０  エンジン
１２  スロットル装置
１５  スロットルグリップ
２０  燃料供給装置
２１  点火装置
２８，２９  ブレーキ装置
３０  制御システム
３１  電子制御装置（ＥＣＵ）
３２  車両制御部
３３，１３３  路面状態判定部（路面状態判定装置）
３４  前輪回転速度センサ
３５  後輪回転速度センサ
１３６  スロットル位置センサ
２３７  エンジン回転数センサ
４１，２４１  スリップ値測定部（スリップ値測定手段）
４２  スリップ値変化率演算部（変化率演算手段）
４３，１４３  判定部（判定手段）
４４，１４４，２４４  記憶部
１４５  開度変化率演算部
１４６  閾値補正部
【図１】
2011136647.tif 000003
【図２】
2011136647.tif 000004
【図３】
2011136647.tif 000005
【図４】
2011136647.tif 000006
【図５】
2011136647.tif 000007
【図６】
2011136647.tif 000008
【図７】
2011136647.tif 000009
【図８】
2011136647.tif 000010